(57)【要約】【課題】静電気の影響を受けず、操作ハンドルの回動量と遊技球の弾発力とが経時変化をすることなく比例関係を有する弾球遊技機を提供する。【解決手段】発光手段と、発光手段からの光ビームを反射する光ビーム反射手段と、光ビームを受光して、受光する光の強度に応じた電気信号を発生する受光手段と、を備え、光ビーム反射手段は、操作ハンドルの回動量に応じて操作され、受光手段が受光する光ビームの強度を可変として弾発力を調節する遊技機とした。【選択図】図２
2005304919.tif 000002
【特許請求の範囲】
【請求項１】
弾球遊技機の操作ハンドルの回動量に応じて遊技球の弾発力を調節する弾球遊技機において、
発光手段と、
前記発光手段からの光ビームを反射する光ビーム反射手段と、
前記光ビームを受光して、受光する光の強度に応じた電気信号を発生する受光手段と、
を備えてなり、
前記光ビーム反射手段は、前記操作ハンドルの前記回動量に応じて操作され、前記受光手段が受光する前記光ビームの強度を可変として前記弾発力を調節することを特徴とする弾球遊技機。
【請求項２】
前記発光手段はＬＥＤ（発光ダイオード）であり、前記反射手段は鏡である請求項１に記載の弾球遊技機。
【請求項３】
前記発光手段からの光ビームを収束させる光集光手段を備える請求項１または請求項２に記載の弾球遊技機。
【請求項４】
前記光ビーム反射手段は、前記操作ハンドルの前記回動量に応じて前記発光手段と前記受光手段との間の光路長を変化させることを特徴とする請求項１ないし請求項３のいずれかの１項に記載の弾球遊技機。
【請求項５】
前記光ビーム反射手段は、前記操作ハンドルの前記回動量に応じて前記光ビームの入射角度及び反射角度を変化させることを特徴とする請求項１ないし請求項３のいずれかの１項に記載の弾球遊技機。
【請求項６】
前記光ビーム反射手段は、前記操作ハンドルの前記回動量に応じて前記光ビームの照射される面積を変化させることを特徴とする請求項１ないし請求項３のいずれかの１項に記載の弾球遊技機。
【発明の詳細な説明】
【技術分野】
【０００１】
本発明は、パチンコ遊技機などの弾球遊技機に関し、詳しくは、弾球遊技機の操作ハンドルの回動量に応じて弾発力を調節する弾球遊技機に関する。
【背景技術】
【０００２】
パチンコ遊技機は弾球発射装置を備えており、従来の弾球発射装置１００は、図１４の模式図に示すように、発射台１３１上の遊技球１３２を打撃して発射するロッド１４１及びハンマー１３３を駆動するプランジャ式ソレノイド１４０と、プランジャ式ソレノイド１４０に設けられたコイルを駆動する制御回路１２０と、制御回路１２０からプランジャ式ソレノイド１４０を駆動する出力信号の大きさを調整する回動量検出装置である可変抵抗器１１４と操作ハンドル１１０を有するものが知られている。コイルばね１１２の一端は本体枠１１１に固着され、コイルばね１１２の他端は操作ハンドル１１０から伸びるシャフトに固着されており、コイルばね１１２によって操作ハンドル１１０は反時計方向に付勢されている。可変抵抗器１１４の外囲部は本体枠１１１に固着され、可変抵抗の可動部は操作ハンドル１１０に直結されている。
【０００３】
このような従来の弾球発射装置１００を備えるパチンコ遊技機は、操作ハンドル１１０の回動量に応じて可変抵抗器１１４の抵抗値が変化し、制御回路１２０において、パルス発生器（図示せず。）からのパルスに同期して可変抵抗器１１４の抵抗値に応じた電力をプランジャ式ソレノイド１４０に加え、遊技球１３２の弾発力を調節するものであった。
【特許文献１】特開昭５８−１６５８７６号
【発明の開示】
【発明が解決しようとする課題】
【０００４】
このようにパチンコ遊技機１０における弾球発射装置は、遊技者が遊技球１３２、すなわちパチンコ球の弾発力を操作ハンドル１１０により操作して遊技を楽しむという意味で重要な要素である。しかしながら、操作ハンドル１１０の回動量を調整する手段として可変抵抗器１１４を用いると、静電気が帯電した人体から、可変抵抗器１１４を介して制御回路１２０の内部に電流が流れこみ、制御回路１２０が誤動作を生じる場合がある。また、可変抵抗器１１４は、基板上に抵抗材を蒸着し、その表面をブラシで圧接し、位置の変化を抵抗の変化として出力させるようになっている。そのために使用頻度が高いパチンコ機１０においては、ブラシが同一抵抗面を繰り返し摺動するので、ブラシまたは抵抗面が磨耗し易く、この結果として回動量と抵抗値との関係が比例関係とはならず突然に異状な抵抗値となってしまう虞があった。本発明はこのような問題に鑑みなされたものであって、静電気の影響を受けず、操作ハンドルの回動量に対する遊技球の弾発力が、経時変化をすることなく略比例関係を有する弾球遊技機を提供するものである。
【課題を解決するための手段】
【０００５】
請求項１に係る発明の弾球遊技機は、弾球遊技機の操作ハンドルの回動量に応じて遊技球の弾発力を調節する弾球遊技機において、発光手段と、前記発光手段からの光ビームを反射する光ビーム反射手段と、前記光ビームを受光して、受光する光の強度に応じた電気信号を発生する受光手段と、を備えてなり、前記光ビーム反射手段は、前記操作ハンドルの前記回動量に応じて操作され、前記受光手段が受光する前記光ビームの強度を可変として前記弾発力を調節することを特徴とするものである。すなわち、発光手段と、反射手段と、受光手段と、を備えるので、発光手段からの光ビームを、反射手段を介して受光手段に入射させることができる。また、光ビーム反射手段は、操作ハンドルの回動量に応じて操作されるので、回動量に応じて前記受光手段が受光する前記光ビームの強度を可変とすることができる。更に、受光手段は受光する光の強度に応じた電気信号を発生することができるので、この電気信号に応じて遊技球の弾発力を調整することができる。
【０００６】
請求項２に係る発明の弾球遊技機は、前記発光手段はＬＥＤ（発光ダイオード）であり、前記光ビーム反射手段は鏡であるものである。すなわち、発光手段としてＬＥＤを用いるので、ＬＥＤに流す電流の大きさを調整して所定の強度の光ビームを得ることができる。また、反射手段として鏡を用いるので、鏡に照射される光ビームの略すべてを反射させることができる。
【０００７】
請求項３に係る発明の弾球遊技機は、前記発光手段からの光ビームを収束させる光集光手段を備えるものである。すなわち、光ビームを集光する手段を備えるので、発光手段からの光ビームが拡散することなく、狭い面積に集光した状態で、反射手段及び受光手段に光ビームを照射することができる。
【０００８】
請求項４に係る発明の弾球遊技機は、前記光ビーム反射手段は、前記操作ハンドルの前記回動量に応じて前記発光手段と前記受光手段との間の光路長を変化させるものである。すなわち、操作ハンドルの回動量に応じて発光手段と受光手段との間の光路長を変化させることができ、この光路長の変化によって受光手段における光ビームの強度分布（受光手段上の位置と光強度との関係）を変化させて、受光する光の強度に応じた電気信号を発生することができる。
【０００９】
請求項５に係る発明の弾球遊技機は、前記光ビーム反射手段は、前記操作ハンドルの前記回動量に応じて前記光ビームの入射角度及び反射角度を変化させるものである。すなわち、操作ハンドルの回動量に応じて発光手段からの光ビームの光ビーム反射手段への入射角度を可変とできる。その結果として、光ビーム反射手段からの出射角度も入射角度に応じて可変となり、反射手段からの光ビームを受ける受光手段における光ビームの強度分布（受光手段上の位置と光強度との関係）を変化させて、受光する光の強度に応じた電気信号を発生することができる。
【００１０】
請求項６に係る発明の弾球遊技機は、前記光ビーム反射手段は、前記操作ハンドルの前記回動量に応じて前記光ビームの照射される面積を変化させるものである。すなわち、操作ハンドルの回動量に応じて光ビームの照射される光ビーム反射手段の面積を変化さることができるので、光ビーム反射手段から出射されて受光手段で受光される光量は、この反射手段に光ビームが照射される面積に応じたものとでき、受光する光の強度に応じた電気信号を発生することができる。
【発明の効果】
【００１１】
本発明の弾球遊技機では、発光手段と、反射手段と、受光手段とを備え、発光手段からの光ビームを反射手段を介して受光手段に入射させることができ、光ビーム反射手段は、操作ハンドルの回動量に応じて操作されるので、回動量に応じて前記受光手段が受光する前記光ビームの強度を可変とすることができ、更に、受光手段は受光する光の強度に応じた電気信号を発生することができるので、この電気信号に応じて遊技球の弾発力を調整することができる。そして、人体が接触する光ビーム反射手段と、発光手段及び受光手段とが、電気的に導通状態とされることがないので、人体が静電気を帯びた状態で操作ハンドルを操作した場合においても、発光手段、受光手段または回路基板に静電気を放電して回路動作に異常を生ずることがないものである。
【００１２】
また、消耗部材である、ブラシ及び抵抗面を従来のように必要とはしないので、回動量と弾発力との関係が経時変化を受けることなく略比例関係を保つことができるものである。
【発明を実施するための最良の形態】
【００１３】
本実施形態に係る遊技機は、弾球遊技機の操作ハンドルの回動量に応じて遊技球の弾発力を調節する弾球遊技機において、発光手段と、発光手段からの光ビームを反射する光ビーム反射手段と、光ビームを受光して、受光する光の強度に応じた電気信号を発生する受光手段と、を備えてなり、光ビーム反射手段は、操作ハンドルの回動量に応じて操作され、受光手段が受光する光ビームの強度を可変として弾発力を調節することを特徴とするものである。すなわち、発光手段と、反射手段と、受光手段と、を備えるので、発光手段からの光ビームを反射手段を介して受光手段に入射させることができる。また、光ビーム反射手段は、操作ハンドルの回動量に応じて操作されるので、回動量に応じて前記受光手段が受光する前記光ビームの強度を可変とすることができる。更に、受光手段は受光する光の強度に応じた電気信号を発生することができるので、この電気信号に基づき遊技球の弾発力を調整することができるものである。ここで、例えば、発光手段はＬＥＤ（発光ダイオード）であっても良く、光ビーム反射手段は鏡であっても良いものであり、また、発光手段からの光ビームを収束させる光集光手段を備えるものであっても良いものであり、更に、回動量に応じた反射手段の操作は、前記発光手段と前記受光手段との間の光路長を変化させるものであっても良く、発光手段からの光ビームの光ビーム反射手段への入射角度を可変とするものであっても良く、光ビームの照射される反射手段の面積を変化させるものであっても良いものである。以下に、本発明に好適な実施形態について図面に基づいて説明する。
【００１４】
［弾球遊技機の構成］
本実施形態の弾球遊技機は、発光手段と、発光手段からの光ビームを反射する光ビーム反射手段と、光ビームを受光して、受光する光の強度に応じた電気信号を発生する受光手段と、を備えてなり、光ビーム反射手段は、操作ハンドルの回動量に応じて操作され、受光手段が受光する光ビームの強度を可変として弾発力を調節することを特徴とするものである。本実施形態における弾球遊技機の概観を示す正面図を図１に示す。なお、以下においては、本発明に係る弾球遊技機に好適な実施形態として本発明の弾球遊技機をパチンコ遊技機に適用した場合を示す。
【００１５】
パチンコ遊技機１０には、本体枠１２と、本体枠１２に組み込まれた遊技盤１１と、本体枠１２の前面に設けられた上皿１３及び下皿１４と、本体枠１２の右隅に設けられた操作ハンドル２１と、が配置されている。また、遊技盤１１の前面には図示しない複数の障害釘が打ちこまれ、複数の一般入賞口１５、始動口１６及び大入賞口１８が設けられている。また、操作ハンドル２１は本体枠１２に対して回動自在に設けられており、遊技者が操作ハンドル２１を操作することにより、プランジャ式ソレノイド４１（図２を参照。）が、遊技球４５（図２を参照。）を遊技盤１１に打ち出すようになされている。
【００１６】
［遊技の簡単な説明］
操作ハンドル２１が遊技者によって、時計回り方向へ回動操作されたときには、その回動角度に応じて発射モータに電力が供給され、上皿１３に貯留された遊技球４５が遊技盤１１に順次発射される。
【００１７】
発射された遊技球４５は、遊技盤１１上に設けられたガイドレール１９ａ及びガイドレール１９ｂに案内されて遊技盤１１の上部に移動し、その後、上述した複数の障害釘との衝突によりその進行方向を変えながら遊技盤１１の下方に向かって流下する。
【００１８】
そして、遊技球４５が一般入賞口１５に入球した場合には、例えば入球１個につき１０球の遊技球４５が賞球として払い出され、始動口１６に入球した場合には、入球１個につき例えば５球の遊技球４５が賞球として払い出されるので、遊技者は賞球を得ることを遊技の楽しみとすることができるものである。
【００１９】
また、この始動口１６に遊技球が入ると、図柄表示装置１７が変動して図柄が変動表示される。そして、この図柄表示装置１７の変動表示が停止して、図柄が所定の組合せとなると大当たり遊技状態へ移行することが報知される。そして、大入賞口が所定時間開放され、開放されて入賞しやすくなった大入賞口に多くの遊技球が入賞し、例えば入球１個につき１０球の遊技球が賞球として払い出される大当り状態となり、遊技者は更に大きな利益と興奮を得ることが出来る。
【００２０】
［弾球発射装置の構成］
（第１の実施の形態）
第１の実施形態におけるパチンコ遊技機１０の弾球発射装置２０を図２ないし図５に沿って説明する。弾球発射装置２０は、操作ハンドル２１が本体枠１２の表面側（遊技者側）に配され、光ビームを発射する発光手段である発光素子３２、回動量検出装置固定部２６と回動量検出装置可動部２８を備える光ビーム反射手段及び受光手段である受光素子３３が本体枠１２の裏面側（遊技者側では無い側）に配されている。
【００２１】
回動量検出装置固定部２６は、ストッパー２６ａ及びストッパー２６ｂ、ガイド軸２６ｃ及びガイド軸２６ｄ並びに回動量検出装置固定部底面２６ｅを備えており、これらの部材は一体成型されていても、個別部材が相互に固着されたものであっても良い。
【００２２】
回動量検出装置固定部２６は、回動量検出装置固定部底面２６ｅに設けられた取り付け穴を貫通する固定金具２７ａ及び固定金具２７ｂによって本体枠１２の裏面に固着されている。
【００２３】
ガイド軸２６ｃ及びガイド軸２６ｄは一定断面積の柱形状、例えば円柱形状をしており、回動量検出装置可動部２８に設けられた貫通穴の内面２８ａ及び貫通穴の内面２８ｂと若干の遊びを持たせて嵌め合わされ、回動量検出装置可動部２８はガイド軸２６ｃ及びガイド軸２６ｄに沿って移動可能となされている。
【００２４】
ストッパー２６ａ及びストッパー２６ｂは回動量検出装置可動部２８がガイド軸２６ｃ及びガイド軸２６ｄから脱落するのを防止できるように回動量検出装置可動部２８に設けられた貫通穴の断面積より大きな対抗面断面積を有している。
【００２５】
図３に回動量検出装置可動部２８を発光素子３２（ＬＥＤ、レーザダイオード、白熱ランプ、ガス入り放電管等を含む。以下、同様。）及び受光素子３３（ホトダイオード、ホトトランジスタ、ホトＩＣ等を含む。以下同様。）の側から見た平面図を示す。回動量検出装置可動部２８の発光素子３２及び受光素子３３に対抗する面は鏡面２８ｃとなっており発光素子３２からの光ビームの光量の略全部を反射するようになされている。
【００２６】
回動量検出装置固定部底面２６ｅは回転軸受けを備えており、回転軸受けに支えられた回転シャフト２３は操作ハンドル２１の回動にともなって回転軸受けの作用により滑らかに時計方向及び反時計方向のいずれにも回動するようになされている。回転シャフト２３には、回転シャフト２３を周回するコイルばね２２の内周側が巻着され、コイルばね２２の外周側は留めピン２９によって回動量検出装置固定部２６に固着されており、これにより回転シャフト２３は反時計方向に付勢されている。
【００２７】
回転シャフト２３の本体枠１２の裏面側に伸びる先端部はネジ構造となっており、回動量検出装置可動部２８に固着または一体に形成された可動部ネジ受２８ｄに螺着され、遊技者が時計方向に操作ハンドル２１を回動すると、回動量検出装置可動部２８は発光素子３２及び受光素子３３から離間する方向に移動するようになされ、遊技者が操作ハンドル２１から手を離すとコイルばね２２の付勢によって、回動量検出装置可動部２８は発光素子３２及び受光素子３３に近接する方向に、ストッパー２６ａ及びストッパー２６ｂに当たり止るまで移動するようになされている。
【００２８】
また、遊技者が時計方向に操作ハンドル２１を回動する場合には、回転シャフト２３に設けられた回転制限ピン２３ａの先端部が留めピン２９に接触すると、回転シャフト２３はそれ以上回転をすることができず、回動量検出装置可動部２８の本体枠１２の方向への移動は制限される。
【００２９】
弾球発射装置２０は、また、図２に示すように回路基板３１を備え、回路基板３１には、弾球発射装置２０に必要な回路部が設けられている。主なる回路部を構成する要素は、発光手段として機能する発光素子３２、受光手段として機能する受光素子３３、遊技球４５の発射タイミングを定めるパルス発生器（図示せず。）、プランジャ式ソレノイド４１に設けられたコイルを駆動する駆動回路（図示せず。）である。発光素子３２及び受光素子３３は、回路基板３１の所定の場所に固着されており、発光素子３２と受光素子３３の相対的位置関係が定められるようになされている。そして、回路基板３１は、取付具（図示せず。）によって、基板に設けられた回路部と電気的な絶縁を図って回動量検出装置固定部２６に固着されており、発光素子３２及び受光素子３３に対して回動量検出装置可動部２８の位置が操作ハンドル２１に応じて可変となるようになされている。
【００３０】
弾球発射装置２０は、更に、図２に示すように発射部保持板４６と、発射部保持板４６にばね要素を介して結合される発射台４４と、発射部保持板４６上に設けられるロッド４２及びハンマー４３を駆動するプランジャ式ソレノイド４１を備える。発射部保持板４６は本体枠１２に取り付けられ、ロッド４２及びハンマー４３を駆動するプランジャ式ソレノイド４１に設けられたコイル（図示せず。）に回路基板３１上の駆動回路によって電流を流し、発射台４４上の遊技球４５を打撃して、ガイドレール１９ａ及びガイドレール１９ｂに沿って遊技球４５が発射され、遊技球４５は、遊技盤１１を流下するようになされている。
【００３１】
図４は、回動量検出装置固定部２６及び回動量検出装置可動部２８の本体枠１２の裏面側から見た斜視図である。
【００３２】
［弾球発射装置の作用］
弾球発射装置２０は、遊技者による操作ハンドル２１の回動量に応じて遊技球４５を打撃する力を変化させて、遊技球４５が遊技盤１１を流下する流下のコースを変化させ遊技を楽しむものであるが、本実施の形態における弾球発射装置２０の要部である回動量を検出する部分の作用を以下に説明する。
【００３３】
遊技者が操作ハンドル２１を回動操作しない場合には、回動量検出装置可動部２８に設けられる鏡面２８ｃはストッパー２６ａ及びストッパー２６ｂに接触する位置に停止し、発光素子３２から鏡面２８ｃを介して受光素子３３に至る光路の長さである光路長は最も短いものとなる。
【００３４】
このときの光ビームの中心線（光路に沿って光強度が最も強い点を結ぶ直線を以下、中心線と称する。）を図２において中心線Ａで表す。このときに光ビームの中心線Ａと受光素子３３の受光面との交点３３ａは受光素子３３の中心から大きくずれるように予め配置されている。そのために受光素子３３に入射する光ビームの光量の総和は小さく、受光素子３３からの電気信号の大きさも小さいものとなる。
【００３５】
遊技者が操作ハンドル２１を時計方向一杯に回動操作し、回転制限ピン２３ａの先端部が留めピン２９に接触して回動が停止する場合には、回動量検出装置可動部２８に設けられる鏡面２８ｃは本体枠１２に最も近づき、発光素子３２及び受光素子３３からは最も離れたものとなり、このときの発光素子３２から鏡面２８ｃを介して受光素子３３に至る光ビームの光路長は最も長いものとなる。このときの光ビームの中心線を図２において中心線Ｂで表すと、このときに光ビームの中心線Ｂと受光素子３３の受光面との交点３３ｂは受光素子３３の略中心に位置するように予め配置されている。そのために受光素子３３に入射する光量の総和は最も大きく、受光素子３３からの電気信号の大きさは最も大きいものとなる。
【００３６】
図５に操作ハンドル２１の回動量を角度（°）で表し、受光素子３３からの電気信号量を電圧（ｖ）で表したときのグラフを示す。Θｌは、回転制限ピン２３ａの先端部が留めピン２９に接触する操作ハンドル２１の回動量である。
【００３７】
すなわち、第１の実施の形態においては、操作ハンドル２１の回動量に応じて発光素子３２と受光素子３３との間の光路長を変化させて、受光素子３３における光ビームの照射位置の変化を生じさせ、受光素子３３受光する光量の変化に応じた電気信号を発生させることができるものである。
【００３８】
なお、図示はしないが、受光素子３３を照射位置の変化方向に２分割して、この２分割された２つの受光素子に照射される光ビームの各々の強度に応じた電気信号の差を検出して、光ビームの照射位置の変化を検出することもできる。
【００３９】
受光素子３３からの電気信号量に応じた波高値のパルス信号が回路基板３１の駆動回路で発生させられ、プランジャ式ソレノイド４１のコイルに印加され、遊技球４５は発射台４４から操作ハンドル２１の回動量に応じた弾発力で打ち出される。
【００４０】
図５のＶｔｈは閾値電圧を示し、受光素子３３からの電気信号量がこの値以下の電圧であるときにはパルス信号がプランジャ式ソレノイド４１のコイルに印加されないような回路構成（図示せず。）を採用しているので、遊技者の意思に反して遊技球４５が打ち出されることはない。
【００４１】
［他の実施の形態］
他の実施の形態を図６ないし図１３に沿って説明する。
【００４２】
（第２の実施の形態）
第２の実施の形態の発光手段、光ビーム反射手段及び受光手段７０を図６及び図７に沿って説明する。なお、第２の実施の形態において、第１の実施の形態におけるものと同一の構成及び作用を奏する部分には同一の符号を付して説明を省略する。
【００４３】
回動量検出装置固定部７６は、回動量検出装置可動部可動溝７６ａ及び回動量検出装置可動部可動溝７６ｂ並びに回動量検出装置固定部底面７６ｅを備えており、これらの部材は一体成型されていても、個別部材が相互に固着されたものであっても良い。回動量検出装置固定部７６は、回動量検出装置固定部底面７６ｅに設けられた取り付け穴を貫通する固定金具７７ａ及び固定金具７７ｂによって本体枠１２の裏面に固着されている。
【００４４】
回動量検出装置可動部可動溝７６ａ及び回動量検出装置可動部可動溝７６ｂは、回動量検出装置固定部底面７６ｅに略平行して伸びる溝であり、回動量検出装置固定部７６に形成されており、回動量検出装置可動部７８の両端面の全部または回動量検出装置可動部７８の両端面の一部に設けられた突出部と遊びを持たせて嵌め合わされている。これによって、回動量検出装置可動部７８は回動量検出装置可動部可動溝７６ａ及び回動量検出装置可動部可動溝７６ｂに沿って、回動量検出装置固定部底面７６ｅに平行に移動可能となされている。
【００４５】
図７は、回動量検出装置可動部７８に操作ハンドル２１の回動力を伝える偏心カム７４及び偏心カム７５の構造を示す斜視図である。偏心カム７４は、円盤、楕円板または卵型形状板等の外周部が滑らかな曲率を有し、偏心カム７４の回転中心から外周までの距離が回転角度に応じて単調に増加または減少するような形状をしている。また、偏心カム７５も偏心カム７４と同じ形状をしている。偏心カム７４に設けられた回転シャフト固着部７４ａ及び偏心カム７５に設けられた回転シャフト固着部７５ａと回転シャフト７３とはビス８３及びビス８４によって固着されている。
【００４６】
回転シャフト７３と操作ハンドル２１とは直結されており、操作ハンドル２１の回動にともなって回転シャフト７３は、回動量検出装置固定部７６に設けられた２つの回転軸受けによって、回動量検出装置固定部７６に対して滑らかに回動が可能とされている。
【００４７】
回動量検出装置固定部７６と回動量検出装置可動部７８との間には、圧縮コイルばね７１及び圧縮コイルばね７２が配されており、外部から力を加えない場合には、圧縮コイルばね７１及び圧縮コイルばね７２の一端が接する回動量検出装置固定部７６の部分と回動量検出装置可動部７８との間の距離を離間させる力が働くようになされている。
【００４８】
圧縮コイルばね７１及び圧縮コイルばね７２が配されていない側の回動量検出装置可動部７８の面には、ローラ回転軸８１及びローラ回転軸８２を支持するローラ支持部材７８ａないしローラ支持部材７８ｄを備えており、ローラ７９及びローラ８０は、各々のローラの中心を貫くローラ回転軸８１及びローラ回転軸８２を中心として滑らかに回転するようになされている。
【００４９】
ローラ７９及びローラ８０は、回転軸に沿った中心部の半径が両端よりも小さい、鼓状の形状をしている。圧縮コイルばね７１及び圧縮コイルばね７２の作用により、ローラ７９は、その中心部の略一点で偏心カム７４と圧接し、ローラ８０は、その中心部の略一点で偏心カム７５と圧接するようになされている。
【００５０】
回動量検出装置固定部７６には留めピン７６ｃ及び留めピン７６ｄが固着されており、回転シャフト７３には回転制限ピン７３ａ及び回転制限ピン７３ｂが固着されており、遊技者から見て、操作ハンドル２１を時計方向に回動する場合には、回転制限ピン７３ａと留めピン７６ｃとが接触してそれ以上には操作ハンドル２１を時計方向に回動することができないようになされ、遊技者から見て、操作ハンドル２１を反時計方向に回動する場合には、回転制限ピン７３ｂと留めピン７６ｄとが接触してそれ以上には操作ハンドル２１を反時計方向に回動することができないようになされている。
【００５１】
ここで、遊技者が操作ハンドル２１から手を離した状態では、回転制限ピン７３ｂと留めピン７６ｄとが接触し、圧縮コイルばね７１及び圧縮コイルばね７２が力を放出して可動範囲においては最も伸びた状態となるように回転シャフト７３と偏心カム７４及び偏心カム７５との位置関係が設定され、遊技者が操作ハンドル２１を時計方向一杯に回動した状態では、回転制限ピン７３ａと留めピン７６ｃとが接触し、圧縮コイルばね７１及び圧縮コイルばね７２が偏心カム７４及び偏心カム７５から力を受けて可動範囲においては最も縮んだ状態となるように回転シャフト７３と偏心カム７４及び偏心カム７５との位置関係が設定されている。
【００５２】
すなわち、遊技者が操作ハンドル２１から手を離した状態では、回転シャフト７３の回転中心からローラ７９と偏心カム７４との圧接点までの距離及び回転シャフト７３の回転中心からローラ８０と偏心カム７５との圧接点までの距離が、可動範囲においては最も短くなるように、遊技者が操作ハンドル２１を時計方向一杯に回動した状態では、回転シャフト７３の回転中心からローラ７９と偏心カム７４との圧接点までの距離及び回転シャフト７３の回転中心からローラ８０と偏心カム７５との圧接点までの距離が、可動範囲においては最も長くなるようにビス８３及びビス８４によって位置決めがなされている。なお、回動量検出装置可動部可動溝７６ａ及び回動量検出装置可動部可動溝７６ｂの長さは、回動量検出装置可動部７８の可動の範囲を制限することが無いように十分に長いものにされている。
【００５３】
回動量検出装置可動部７８の圧縮コイルばね７１及び圧縮コイルばね７２に接する側の面は鏡面７８ｅとなっており、鏡面７８ｅに対抗して発光素子３２及び受光素子３３を備えた回路基板３１が、回動量検出装置固定部７６に固着されている。このようにして、発光素子３２、受光素子３３及び回動量検出装置固定部７６の位置関係は固定した関係となされている。
【００５４】
第２の実施の形態における作用の説明をする。
【００５５】
操作ハンドル２１を遊技者が操作をしない場合には、圧縮コイルばね７１及び圧縮コイルばね７２の作用により、偏心カム７４とローラ７９及び偏心カム７５とローラ８０とは、略一点で接し、その各々の接する点と回転シャフト７３の回動の中心線とを結ぶ距離は、最も短くなり、操作ハンドル２１は反時計方向一杯に回動される。
【００５６】
このときに、回動量検出装置可動部７８の表面に設けられる鏡面７８ｅは発光素子３２及び受光素子３３から最も遠ざかり、このときの発光素子３２から鏡面７８ｅを介して受光素子３３に至る光ビームの光路長は最も長いものとなる。このときの光ビームの中心線を図６において中心線Ｉで表す。このとき、光ビームの中心線Ｉと受光素子３３の受光面との交点３３ｆは受光素子３３の端に位置するように予め配置されているので、受光素子３３に入射する光量の総和は最も小さく、受光素子３３からの電気信号の大きさは最も小さいものとなる。
【００５７】
一方、遊技者が操作ハンドル２１を時計方向一杯に回動操作する場合には、回動量検出装置可動部７８の表面に設けられた鏡面７８ｅは発光素子３２及び受光素子３３に最も近づき、このときの発光素子３２から鏡面７８ｅを介して受光素子３３に至る光ビームの光路長は最も短いものとなる。このときの光ビームの中心線を図６において中心線Ｈで表す。このとき、光ビームの中心線Ｈと受光素子３３の受光面との交点３３ｇは受光素子３３の略中心に位置するように予め配置されているので、受光素子３３に入射する光量の総和は最も大きく、受光素子３３からの電気信号の大きさは最も大きいものとなる。
【００５８】
操作ハンドル２１の回動量を角度（°）で表し、受光素子３３からの電気信号量を電圧（ｖ）で表したときのグラフは、図５に示すものと略同様な曲線を描く。すなわち、第２の実施の形態は、操作ハンドル２１の回動量に応じて発光素子３２と受光素子３３との間の光路長を変化させて、受光素子３３における光ビームの照射位置の変化を生じさせ、受光素子３３受光する光量の変化に応じた電気信号を発生させることができるものである。
【００５９】
なお、図示はしないが、受光素子３３を照射位置の変化方向に２分割して、この２分割された２つの受光素子に照射される光ビームの各々の強度に応じた電気信号の差を検出して、光ビームの照射位置の変化を検出することもできる。
【００６０】
このような第２の実施の形態の発光手段、光ビーム反射手段及び受光手段７０を用いれば、第１の実施の形態と同様な作用をし、遊技球４５を発射台４４から操作ハンドル２１の回動量に応じた強度で打ち出すことが可能となる。
【００６１】
（第３の実施の形態）
第３の実施の形態の発光手段、光ビーム反射手段及び受光手段５０を図８に沿って説明する。なお、第３の実施の形態において、第１の実施の形態及び第２の実施の形態におけると同一の構成及び作用を奏する部分には同一の符号を付して説明を省略する。
【００６２】
回動量検出装置固定部５６は、回動量検出装置固定部底面５６ｅ及び可動部支持部５６ｆを備えており、回動量検出装置固定部底面５６ｅに設けられた取り付け穴を貫通する固定金具５７ａ及び固定金具５７ｂによって回動量検出装置固定部５６は本体枠１２の裏面に固着されている。
【００６３】
また、発光素子３２及び受光素子３３は、回路基板３１の所定の場所に固着されており、更に、回路基板３１は、取付具（図示せず。）によって、基板に設けられた回路部と電気的な絶縁を図って回動量検出装置固定部５６に固着されている。
【００６４】
回動量検出装置固定部底面５６ｅは回転軸受けを備えており、回転軸受けに支えられた回転シャフト５３は操作ハンドル２１の回動にともなって回転軸受けの作用により滑らかに時計方向及び反時計方向のいずれにも回転するようになされており、回転シャフト５３には、回転シャフト５３を周回するコイルばね５２の内周が巻着され、コイルばね５２の外周は留めピン５９によって回動量検出装置固定部５６に固着されており、これにより回転シャフト５３は反時計方向に付勢されている。
【００６５】
回転シャフト５３の本体枠１２の裏面側に伸びる先端部はネジ構造となっており、回動量検出装置可動部５８に設けられた穴の内面５８ａに形成されるネジ溝に螺着され、回転シャフト５３の最先端部には、内面５８ａが通過をすることができないような大きく膨らんだストッパー５３ａを備えている。
【００６６】
図９に回動量検出装置可動部５８の発光素子３２及び受光素子３３側から見た平面図を示す。回動量検出装置可動部５８の発光素子３２及び受光素子３３に対抗する面は鏡面５８ｃとなっており光ビームを反射するようになされている。
【００６７】
遊技者が操作ハンドル２１から手を離すとコイルばね５２の付勢によって回動量検出装置可動部５８の鏡面５８ｃはストッパー５３ａと接触する位置で停止し、光ビームの中心線Ｃと鏡面５８ｃとのなす入射角度（Θｃ）及び出射角度（Θｃ）は最も大きくなり、このとき、光ビームの中心線Ｃと受光素子３３の受光面との交点３３ｃは受光素子３３の中心から大きくずれるように予め配置がなされている。そのために受光素子３３に入射する光量の総和は小さく、受光素子３３からの電気信号の大きさも小さいものとなる。
【００６８】
一方、遊技者が時計方向に操作ハンドル２１を回動する場合には、回転シャフト５３に設けられた回転制限ピン５３ｂの先端部が留めピン５９に接触すると、回転シャフト５３はそれ以上回転をすることができず、回動量検出装置可動部５８の本体枠１２の方向への移動は制限される。このとき、光ビームの中心線Ｄと鏡面５８ｃとのなす入射角度（Θｄ）及び出射角度（Θｄ）の大きさは、入射角度（Θｃ）及び出射角度（Θｃ）の大きさよりも小さくなり、光ビームの中心線Ｄと受光素子３３の受光面との交点３３ｄは受光素子３３の略中心となるように予めなされている。そのために受光素子３３に入射する光量の総和は最も大きく、受光素子３３からの電気信号の大きさは最も大きいものとなる。
【００６９】
操作ハンドル２１の回動量を角度（°）で表し、受光素子３３からの電気信号量を電圧（ｖ）で表したときのグラフは、図５に示すものと略同様な曲線を描く。
【００７０】
すなわち、第３の実施の形態においては操作ハンドル２１の回動量に応じて発光素子３２が発射する光ビームの反射手段への入射角度及び反射手段からの反射角度を変化させて、受光素子３３における光ビームの照射位置の変化を生じさせ、受光素子３３受光する光量の変化に応じた電気信号を発生させることができるものである。
【００７１】
なお、図示はしないが、受光素子３３を照射位置の変化方向に２分割して、この２分割された２つの受光素子に照射される光ビームの各々の強度に応じた電気信号の差を検出して、光ビームの照射位置の変化を検出することもできる。
【００７２】
このような第３の実施の形態の光ビーム反射手段を第１の実施の形態における光ビーム反射手段に変えて用いれば、弾球発射装置は、第１の実施の形態と同様な作用をし、遊技球４５を発射台４４から操作ハンドル２１の回動量に応じた弾発力で打ち出すことが可能となる。
【００７３】
（第４の実施の形態）
第４の実施の形態の発光手段、光ビーム反射手段及び受光手段６０を図１０に沿って説明する。なお、第４の実施の形態において、第１の実施の形態ないし第３の実施の形態におけると同一の構成及び作用を奏する部分には同一の符号を付して説明を省略する。
回動量検出装置固定部６６は、回動量検出装置固定部底面６６ｅ並びに固定部材６５ａ及び固定部材６５ｂにより回動量検出装置固定部底面６６ｅに固着された反射光吸収板６９を備えており、回動量検出装置固定部底面６６ｅに設けられた取り付け穴を貫通する固定金具６７ａ及び固定金具６７ｂによって回動量検出装置固定部６６は本体枠１２の裏面に固着されている。
【００７４】
また、発光素子３２及び受光素子３３は、回路基板３１の所定の場所に固着されており、更に、回路基板３１は、取付具（図示せず。）によって、基板に設けられた回路部と電気的な絶縁を図って回動量検出装置固定部６６に固着されているので、発光素子３２、受光素子３３及び回動量検出装置固定部６６の三者の位置関係は固定したものとされている。
【００７５】
回動量検出装置固定部底面６６ｅは回転軸受けを備えており、回転軸受けに支えられた回転シャフト６３は操作ハンドル２１の回動にともなって回転軸受けの作用により滑らかに時計方向及び反時計方向のいずれにも回転するようになされており、回転シャフト６３には、回転シャフト６３を周回するコイルばね６２の一端が巻着され、コイルばね６２の他端は留めピン６９ａによって回動量検出装置固定部６６に固着されており、これにより回転シャフト６３は反時計方向に付勢されている。
【００７６】
回転シャフト６３の本体枠１２の裏面側に伸びる先端部には回動量検出装置可動部６８が固着されている。回動量検出装置可動部６８は、円盤形状の一部が切りかかれた半月形の円盤形状をしており、遊技者が操作ハンドル２１から手を離すとコイルばね６２の付勢によって回動量検出装置可動部６８は反時計方向に回動し、ストッパー６３ａと留めピン６９ａとが接触する位置で停止し、遊技者が操作ハンドル２１を時計方向に回動させると、ストッパー６３ｂと留めピン６９ｂとが接触する位置で回動を停止するようになされている。なお、留めピン６９ｂは回動量検出装置固定部６６に固着されている。
【００７７】
図１１に回動量検出装置可動部６８の発光素子３２及び受光素子３３側から見た平面図を示す。鏡面６８ｃｅは、操作ハンドル２１から遊技者が手を離したときの鏡面６８ｃの位置を示し、鏡面６８ｃｆは、操作ハンドル２１を時計方向に一杯回したときの鏡面６８ｃの位置を示す。
【００７８】
反射光吸収板６９は、発光素子３２の側から見て、回動量検出装置可動部６８の裏面の略全域を覆うように配置される円盤であり、光ビームが照射される面が黒色に塗装され光ビームのエネルギーを吸収するようになされている。
【００７９】
遊技者が操作ハンドル２１から手を離すとコイルばね６２の付勢によって回動量検出装置可動部６８は反時計方向に回転し、ストッパー６３ａと留めピン６９ａとが接触する位置で停止する。このとき、光ビームの中心線Ｅと鏡面６８ｃｅとは交わることがなく、更に、光ビームの中心線Ｅを中心として略円筒状となる光ビームの所定の光エネルギーを含む範囲（例えば、全光ビームエネルギーの９０％を含む範囲。）が鏡面６８ｃｅと交わることもなく、光ビームのエネルギーは反射光吸収板６９に吸収され、受光素子３３に殆ど達することはなく、受光素子３３からの電気信号の大きさは小さいものとなる。
【００８０】
一方、遊技者が、時計方向一杯に操作ハンドル２１を回動操作する場合の鏡面６８ｃの位置を図１１において６８ｃｆと表すと、光ビームの中心線Ｅと鏡面６８ｃｆとは交わり、更に、光ビームの中心線Ｅを中心として略円筒状となる光ビームの所定の光エネルギーを含む範囲（例えば、全光ビームエネルギーの９０％を含む範囲。）が鏡面６８ｃｆと交わることとなり、光ビームのエネルギーは殆ど回動量検出装置可動部６８の鏡面６８ｃｆで反射されて受光素子３３に達し、受光素子３３からの電気信号の大きさは最も大きいものとなる。
【００８１】
操作ハンドル２１の回動量を角度（°）で表し、受光素子３３からの電気信号量を電圧（ｖ）で表したときのグラフは、図５に示すものと略同様な曲線を描く。
【００８２】
すなわち、第４の実施の形態においては、発光素子３２から発射される光ビームが、反射手段を構成する鏡面６８ｃにおいて照射される面積を、操作ハンドル２１の回動量に応じて変化させ、受光素子３３が受光する鏡面６８ｃで反射される光ビームの光量を変化させ、光の強度に応じた電気信号を受光素子３３から発生させることができるものである。
【００８３】
このような第４の実施の形態の光ビーム反射手段を第１の実施の形態における光ビーム反射手段に変えて用いれば、弾球発射装置は、第１の実施の形態と同様な作用をし、遊技球４５を発射台４４から操作ハンドル２１の回動量に応じた弾発力で打ち出すことが可能となる。
【００８４】
（第５の実施の形態）
図１２及び図１３に沿って第５の実施の形態を説明する。
【００８５】
図１２に集光手段を備えていない場合の発光素子３２からの光ビームを示す。発光素子３２が集光手段を備えていない場合には、光ビームは拡散光であり、光ビーム中心線Ｆに沿って光強度が最も強く、一般的にガウス分布をして中心線から垂直方向に離れるに従い光ビーム強度は弱くなるとともに、光ビーム中心線Ｆに沿う方向についても発光素子３２からの距離が離れる程、所定の光ビームエネルギー（例えば、全光ビームエネルギーの９０％。）を含む範囲の面積が拡大する。この傾向は、集光手段を特に設けないＬＥＤ、レーザダイオード、白熱ランプ、ガス入り放電管等のすべての発光素子３２に共通する性質である。
【００８６】
操作ハンドル２１の回動量の検出感度を上げるためには、発光素子３２から受光素子３３までの光ビームの距離（光路長）を大きくしなければならず、その場合には、光ビームも拡散しているので、受光素子３３の受光面の面積を大きくせざるを得ず、受光素子３３は高価なものになっていた。
【００８７】
また、受光素子３３に照射される光ビームのエネルギー密度が低下すると受光素子３３の単位面積当たりの出力電圧が低下してＳ／Ｎ（Ｓｉｇｎａｌ  ｔｏ  Ｎｏｉｓｅ  Ｒａｔｉｏ）が低下して良質の信号を得ることができない。
【００８８】
図１３に示す第５の実施の形態は、集光手段を備えて上述の問題を解決するものである。集光手段としては、凸レンズ、フレネルレンズ、凹面鏡等を用いることができ、発光素子３２からの光ビームを集光して、小さい光スポット径の光ビームを受光素子３３の表面に集光して、受光素子３３の受光面の面積の縮小化を図るものである。
【００８９】
集光手段として、図５に示す例では、通常の凸レンズ９０を用いている。このような構成においては、発光素子３２と凸レンズ９０との間の距離Ｌを調整すれば、発光素子３２からの光ビームの拡散角度のばらつきがある場合においても受光素子３３の受光面における光スポット径の大きさを、一定の大きさに調整することができる。
【００９０】
このとき距離Ｌを調整すれば、図５に示すように光スポットを光ビームの中心線Ｇに沿って一定の大きさにすること以外に、発光素子３２からの拡散光を収束して、より収束した拡散光とすることや、発光素子３２からの拡散光を収束して、受光素子３３の受光面で光スポットを収束することもできる。
【００９１】
このような集光手段を用いれば、小面積の受光素子３３によって光ビームを受光可能となり、受光素子３３の低コスト化が可能となり、また、外乱信号の影響も受けにくく、Ｓ／Ｎも向上させることができるものである。
【００９２】
第５の実施の形態における集光手段は、上述した第１の実施の形態ないし第４の実施の形態のいずれにおいても採用が可能であり、第１の実施の形態ないし第４の実施の形態に採用して、受光素子３３の小型化及び操作ハンドル２１の回動量の検出精度の向上を図ることができるものである。
【００９３】
以上、本発明の実施形態を説明したが、本実施の形態では、発光手段、光ビーム反射手段及び受光手段を備えるので、操作ハンドルの回動量に応じて遊技球の発射の強度を可変とできる。ここにおいて、光ビーム反射手段を備えるために、発光手段及び受光手段を同一平面に設けるようにすることが可能となる。
【００９４】
その結果、発光手段、及び受光手段を同一の基板上に設けることができ、パチンコ遊技機の製造が容易となりコストの低減が図れる。更に、本実施の形態では、発光手段及び受光手段を各々１個ずつしか必要としないので、パチンコ遊技機のコストの低減が図れるものである。
【００９５】
上述の実施の形態は本発明の実施形態の具体例を例示したに過ぎず、特に本発明を限定するものではない。すなわち、本発明は、主に、弾球遊技機の操作ハンドルの回動量に応じて遊技球の弾発力を調節する弾球遊技機において、発光手段と、前記発光手段からの光ビームを反射する光ビーム反射手段と、前記光ビームを受光して、受光する光の強度に応じた電気信号を発生する受光手段と、を備えてなり、前記光ビーム反射手段は、前記操作ハンドルの前記回動量に応じて操作され、前記受光手段が受光する前記光ビームの強度を可変として前記弾発力を調節することを特徴とするが、発光手段、光ビーム反射手段、受光手段などの具体的構成は、適宜設計変更可能である。
【００９６】
また、本発明の実施形態に記載された効果は、本発明から生じる最も好適な効果を列挙したに過ぎず、本発明による効果は、本発明の実施形態に記載されたものに限定されるものでもない。
【図面の簡単な説明】
【００９７】
【図１】本発明の実施形態に係るパチンコ遊技機の概観を示す図である。
【図２】本発明の第１の実施の形態のパチンコ遊技機の弾球発射装置を示す図である。
【図３】本発明の第１の実施の形態のパチンコ遊技機の回動量検出装置可動部を示す図である。
【図４】本発明の第１の実施の形態のパチンコ遊技機の回動量検出装置固定部と回動量検出装置可動部を示す斜視図である。
【図５】本発明の第１の実施の形態のパチンコ遊技機の操作ハンドルの回動量と受光素子からの電気信号量との関係を示すグラフである。
【図６】本発明の第２の実施の形態を示す図である。
【図７】本発明の第２の実施の形態の偏心カムを示す斜視図である。
【図８】本発明の第３の実施の形態を示す図である。
【図９】本発明の第３の実施の形態の弾球遊技機の回動量検出装置可動部を示す図である。
【図１０】本発明の第４の実施の形態を示す図である。
【図１１】本発明の第４の実施の形態の弾球遊技機の回動量検出装置可動部を示す図である。
【図１２】本発明の実施の形態の集光手段を備えていない場合の発光素子からの光ビームを示す図である。
【図１３】本発明の第５の実施の形態の集光手段を備える場合の発光素子からの光ビームを示す図である。
【図１４】背景技術を示す図である。
【符号の説明】
【００９８】
１０      パチンコ遊技機
２１      操作ハンドル
２２      コイルばね
５２      コイルばね
６２      コイルばね
７１      圧縮コイルばね
７２      圧縮コイルばね
２３      回転シャフト
５３      回転シャフト
６３      回転シャフト
７３      回転シャフト
２６      回動量検出装置固定部
５６      回動量検出装置固定部
６６      回動量検出装置固定部
７６      回動量検出装置固定部
２８      回動量検出装置可動部
５８      回動量検出装置可動部
６８      回動量検出装置可動部
７８      回動量検出装置可動部
３１      回路基板
３２      発光素子
３３      受光素子
２８ｃ    鏡面
５８ｃ    鏡面
６８ｃ    鏡面
６８ｃｅ  鏡面
６８ｃｆ  鏡面
７８ｅ    鏡面
４１      プランジャ式ソレノイド
４２      ロッド
４３      ハンマー
４４      発射台
４５      遊技球
４６      発射部保持板
９０      凸レンズ
【図１】
2005304919.tif 000003
【図２】
2005304919.tif 000004
【図３】
2005304919.tif 000005
【図４】
2005304919.tif 000006
【図５】
2005304919.tif 000007
【図６】
2005304919.tif 000008
【図７】
2005304919.tif 000009
【図８】
2005304919.tif 000010
【図９】
2005304919.tif 000011
【図１０】
2005304919.tif 000012
【図１１】
2005304919.tif 000013
【図１２】
2005304919.tif 000014
【図１３】
2005304919.tif 000015
【図１４】
2005304919.tif 000016